【事件の表示】
　特願２０１５−７９４７９号「遊技機」拒絶査定不服審判事件〔平成２７年９月１７日出願公開、特開２０１５−１６４５３３号〕について、次のとおり審決する。
【結　論】
　本件審判の請求は、成り立たない。
【理　由】
第１　手続の経緯 
　本願は、平成２６年３月３１日（優先権主張　平成２６年２月４日）に出願した特願２０１４−７４８５５号の一部を平成２７年４月８日に新たな特許出願としたものであって、平成２８年２月２６日付けの拒絶理由の通知に対し、同年５月２日に意見書が提出されるとともに手続補正がなされ、同年１０月１１日付けの最後の拒絶理由の通知に対し、同年１２月１５日に意見書が提出されるとともに手続補正がなされたが、平成２９年５月２９日付け（発送日：同年６月６日）で平成２８年１２月１５日の手続補正が却下されるとともに拒絶査定がなされ、これに対して同年９月５日に審判の請求がなされると同時に手続補正（以下「本件補正」という。）がなされたものである。  
第２　本件補正についての補正の却下の決定 
［補正の却下の決定の結論］ 
　本件補正を却下する。 
［理由］ 
１　本件補正について（補正の内容） 
　本件補正は特許請求の範囲の請求項１の記載の補正を含むものであり、本件補正前の平成２８年５月２日にされた手続補正の特許請求の範囲の請求項１の記載と本件補正後の特許請求の範囲の請求項１の記載は、それぞれ以下のとおりである（下線部は補正箇所を示す。また、Ａ〜Ｍについては発明を分説するため当審で付与した。）。 
（本件補正前） 
「【請求項１】 
　遊技球が流下可能な遊技領域と、
　発射強度を可変可能であり、前記遊技領域へと遊技球を到達させることが可能な発射手段と、を有した遊技機において、
　前記遊技領域は、少なくとも、前記発射手段により一の発射強度で発射された遊技球が流下可能な第１遊技領域と、前記一の発射強度とは異なる所定の発射強度で発射された遊技球が流下可能な前記第１遊技領域とは異なる第２遊技領域とを有し、
　前記第１遊技領域に、遊技球が入球可能な第１入球手段を設け、
　前記第２遊技領域に、遊技球が入球可能な前記第１入球手段とは異なる第２入球手段と、遊技球が入球可能な前記第１入球手段および前記第２入球手段とは異なる第３入球手段と、前記第２入球手段に遊技球が入球し易いように遊技球を誘導する第１状態と、その第１状態よりも前記第２入球手段に遊技球が入球し難い状態にする第２状態とに可変可能な可変手段と、を設け、
　前記第２入球手段は、前記発射手段により前記一の発射強度で発射された遊技球が入球し得ない位置に設けられるものであり、
　前記可変手段を前記第１状態と前記第２状態とに可変制御する可変制御手段と、
　前記第１入球手段または前記第３入球手段に遊技球が入球したことに基づいて第１判定条件が成立した場合に、第１判定を実行する第１判定手段と、
　前記第２入球手段に遊技球が入球したことに基づいて第２判定条件が成立した場合に、前記第１判定よりも遊技者に有利となる第２判定を実行する第２判定手段と、
　前記第２遊技領域の特定領域を遊技球が通過したことに基づいて、前記可変手段を前記第１状態へと可変させるための第３判定を実行する第３判定手段と、
　前記可変手段を前記第１状態へと可変させ易い第１遊技状態と、その第１遊技状態よりも前記可変手段を前記第１状態へと可変させ難い第２遊技状態とを設定可能な遊技状態設定手段と、を有し、
　前記遊技状態設定手段は、前記第１判定が実行されることにより成立する第１条件が成立したことに基づいて前記第１遊技状態を設定し、前記第１判定が実行されることにより成立する第２条件が成立したことに基づいて前記第２遊技状態を設定するものであることを特徴とする遊技機。」 
（本件補正後）  
「【請求項１】 
Ａ　遊技球が流下可能な遊技領域と、
Ｂ　発射強度を可変可能であり、前記遊技領域へと遊技球を到達させることが可能な発射手段と、を有した遊技機において、
Ｃ　前記遊技領域は、少なくとも、前記発射手段により一の発射強度で発射された遊技球が流下可能な第１遊技領域と、前記一の発射強度とは異なる所定の発射強度で発射された遊技球が流下可能な前記第１遊技領域とは異なる第２遊技領域とを有し、
Ｄ　前記第１遊技領域に、遊技球が入球可能な第１入球手段を設け、
Ｅ　前記第２遊技領域に、遊技球が入球可能な前記第１入球手段とは異なる第２入球手段と、遊技球が入球可能な前記第１入球手段および前記第２入球手段とは異なる第３入球手段と、前記第２入球手段に遊技球が入球し易いように遊技球を誘導する第１状態と、その第１状態よりも前記第２入球手段に遊技球が入球し難い状態にする第２状態とに可変可能な可変手段と、を設け、
Ｆ　前記第２入球手段は、前記発射手段により前記一の発射強度で発射された遊技球が入球し得ない位置に設けられるものであり、
Ｇ　前記可変手段を前記第１状態と前記第２状態とに可変制御する可変制御手段と、
Ｈ　前記第１入球手段または前記第３入球手段に遊技球が入球したことに基づいて第１判定条件が成立した場合に、第１判定を実行する第１判定手段と、
Ｉ　前記第２入球手段に遊技球が入球したことに基づいて第２判定条件が成立した場合に、前記第１判定よりも遊技者に有利となる第２判定を実行する第２判定手段と、
Ｊ　前記第２遊技領域の特定領域を遊技球が通過したことに基づいて、前記可変手段を前記第１状態へと可変させるための第３判定を実行する第３判定手段と、
Ｋ　前記可変手段を前記第１状態へと可変させ易い第１遊技状態と、その第１遊技状態よりも前記可変手段を前記第１状態へと可変させ難い第２遊技状態とを設定可能な遊技状態設定手段と、を有し、
Ｌ　前記遊技状態設定手段は、前記第１判定が実行されることにより成立
し得
し得
ものであり、
Ｍ　
前記第２遊技領域は、
　
少なくとも、前記第２入球手段または前記第３入球手段に遊技球が入球し得る第１流路と、前記特定領域に遊技球が通過し得る第２流路と、から形成され、
　
前記第１流路を流下する遊技球は前記特定領域を通過することが無く、前記第２流路を流下する遊技球は前記第２入球手段または前記第３入球手段に入球することが無いように構成され、
　
前記可変手段が前記第１状態である場合のほうが前記第２状態である場合よりも、前記第１流路を流下する遊技球が前記第３入球手段に入球し難くなるように構成されている
２　補正の適否　　 
　本件補正は、補正前の請求項１に記載された発明特定事項である「第２入球手段」、「第３入球手段」及び「特定領域」が「設け」られる「第２遊技領域」について、Ｍの「少なくとも、前記第２入球手段または前記第３入球手段に遊技球が入球し得る第１流路と、前記特定領域に遊技球が通過し得る第２流路と、から形成され、前記第１流路を流下する遊技球は前記特定領域を通過することが無く、前記第２流路を流下する遊技球は前記第２入球手段または前記第３入球手段に入球することが無いように構成され、前記可変手段が前記第１状態である場合のほうが前記第２状態である場合よりも、前記第１流路を流下する遊技球が前記第３入球手段に入球し難くなるように構成されている」ことを追加して限定したものである。
　また、補正前の請求項１に記載された発明と補正後の請求項１に記載された発明とは、産業上の利用分野及び解決しようとする課題が同一である。
　そうすると、本件補正は、特許法第１７条の２第５項第２号に規定する「特許請求の範囲の減縮」を目的とするものに該当する。
　そして、本件補正は、明細書の段落【００８４】、【００８５】、【００８９】及び図２の記載に基づいており、新規事項を追加するものではない。
 
　なお、「第１条件」及び「第２条件」について、「第１判定が実行されることにより成立する」という記載を、「第１判定が実行されることにより成立し得る」という記載に変更する補正は、「第１判定が実行されることにより」必ず「第１条件」及び「第２条件」が「成立する」ものではないことは明らかであるから、実質的に技術的範囲を変更するものではない。
　そこで、本件補正後の請求項１に記載された発明（以下「本願補正発明」という。）が特許法第１７条の２第６項において準用する同法第１２６条第７項の規定に適合するか（特許出願の際独立して特許を受けることができるものであるか）について、以下、検討する。 
（１）本願補正発明 
　本願補正発明は、前記１（本件補正後）に記載したとおりのものである。
（２）引用文献に記載された事項 
　原査定の拒絶の理由で引用された本願の優先日前に頒布された刊行物である特開２０１３−１０２８６９号公報（以下「引用文献」という。）には、図面と共に次の事項が記載されている（下線は当審で付した。）。 
「【０００９】
　図１，図２に示すように、本実施形態に係る
パチンコ機１
「【００１１】
　図２に示すように遊技盤３０は、その盤面に
遊技球が流下する遊技領域３１
【００１２】
　前面ボード５の受皿６に収容された遊技球は、図外の発射装置に１個ずつ供給されるようになっている。図４に示すように、払出制御装置３００は、
ハンドル７の回動操作量に対応して増減する発射ボリューム
７Ａからの入力に基づいて所定の強度で遊技球が発射される
発射装置により発射されて
遊技領域３１
に到達した遊技球
  また、払出制御装置３００には、ハンドル７の円周上に設けられた発射停止スイッチ７Ｃやハンドル７に配設され、ハンドル７の回転操作が有効となる条件とするハンドル７の表面接触検出を行うためのタッチセンサ７Ｄが接続されている。
【００１３】
　遊技領域３１内には、演出表示装置５０と、ステージ５１と、第１特別図柄表示装置４０Ａと、第２特別図柄表示装置４０Ｂ、普通図柄表示装置４１と、複数の第１始動入賞口（始動口）６１Ａ；６１Ｂと、第２始動入賞口（始動口）６２と、電動チューリップ６３と、大入賞口６４と、アタッカ装置６５と、スルーチャッカ６６と、複数の一般入賞口６７と、アウト口６８と、遊技領域３１内の遊技球の流下方向に変化を与える（図２中では簡略化してある）図外の複数の遊技釘及び風車とが設けられている。
　第１始動入賞口６１Ａは、遊技領域３１の略中央部におけるステージ５１の下方に位置する。
第１始動入賞口６１Ｂ
遊技領域３１の右側部における第２始動入賞口６２の下方に位置する
遊技者の操作により遊技球が遊技領域３１の左側部を流下する場合、第１始動入賞口６１Ａに入賞し易く
遊技領域３１の右側部を流下する場合、第１始動入賞口６１Ｂに入賞し易い
「【００１７】
　
スルーチャッカ６６
第２始動入賞口６２よりも上方に配置されている
「【００１８】
　
電動チューリップ６３
駆動する
１対の羽根部材が互いに離れる方向に回動し、第２始動入賞口６２の入口を拡大する
１対の羽根部材が閉じた状態
第２始動入賞口６２への遊技球の入賞は不可能
普図当り
１対の羽根部材が開く
「【００２４】
　
第１特別図柄用当否抽選手段１１０
第１始動入賞口６１Ａ又は、第１始動入賞口６１Ｂへの遊技球の入賞を契機に、特図当り（第１特図当り）又はハズレを電子抽選（第１特別図柄抽選）により決定する
「【００２９】
　図７（ａ）に示すように第１特図当り種類テーブル１１７Ａは、第１特別図柄用当否抽選手段１１０にて
特図当り（第１特図当り）
２Ｒ特別図柄Ａ、５Ｒ特別図柄Ａ、５Ｒ特別図柄Ｂ、１５Ｒ特別図柄Ａ
【００３０】
　この第１特図当り種類テーブル１１７Ａが参照され、
第１特別図柄の種類が２Ｒ特別図柄Ａ
第１特別図柄の種類が５Ｒ特別図柄Ａ
第１特別図柄の種類が５Ｒ特別図柄Ｂ
第１特別図柄の種類が１５Ｒ特別図柄Ａ
　なお、選択確率は参考のために記載したものであって、第１特図当り種類テーブル１１７Ａには含まれない。
【００３１】
　以上のとおり、第１特別図柄用当否抽選手段１１０は、第１始動入賞口６１Ａ；６１Ｂに遊技球が入賞したことを契機に当否に係る
第１特別図柄抽選
「【００３２】
　次に、前記第１特別図柄当否抽選手段１１０とは個別に設けられた第２特別図柄当否抽選手段１２０について説明する。
　
第２特別図柄用当否抽選手段１２０
第２始動入賞口６２への遊技球の入賞を契機に、特図当り（第２特図当り）又はハズレを電子抽選（第２特別図柄抽選）により決定する
「【００３７】
　図７（ｂ）に示すように第２特図当り種類テーブル１２７Ａは、第２特別図柄用当否抽選手段１２０にて特図当り（第２特図当り）となる場合、第２特図当り種類決定用乱数と特別図柄の種類との対応関係を規定するものである。本実施形態で用いられる特別図柄の種類は、５Ｒ特別図柄Ａ、１５Ｒ特別図柄Ａの２種類であり、第２特図当り種類決定用乱数０〜１９に５Ｒ特別図柄Ａが予め対応付けられていて、第２特図当り種類決定用乱数２０〜９９に１５Ｒ特別図柄Ａが予め対応付けられている。５Ｒ特別図柄Ａ、１５Ｒ特別図柄Ａのそれぞれの選択確率は、２０％、８０％である。この第２特図当り種類テーブル１２７Ａが参照され、第２特別図柄の種類が５Ｒ特別図柄Ａに決定された場合、第２特別図柄表示装置４０Ｂ上において導出される第２特別図柄は、例えば「２」のゾロ目として表示される。また、第２特別図柄の種類が１５Ｒ特別図柄Ａに決定された場合、第２特別図柄表示装置４０Ｂ上において導出される第２特別図柄は、例えば「７」のゾロ目として表示される。
　また、第１特図当り種類テーブル１１７Ａ及び第２特図当り種類テーブル１２７Ａを比較した場合、第２特図当り種類テーブル１２７Ａには、２Ｒ特別図柄Ａ及び５Ｒ特別図柄Ｂが存在せず、さらに１５Ｒ特別図柄Ａが選択される割合が全体の８０％となっているため、第１特別図柄抽選によって第１特別図柄の種類が１５Ｒ特別図柄Ａに決定される確率よりも第２特別図柄抽選によって第２特別図柄の種類が１５Ｒ特別図柄Ａに決定される確率の方が飛躍的に高く設定されている。
　よって、遊技者から見れば第１特別図柄抽選手段１１０による
第１特別図柄抽選より
第２特別図柄抽選
特図当り
１５Ｒ特別図柄Ａに決定される確率が高い
有利
「【００４１】
　図４に示す
普通図柄用当否抽選手段１５０
スルーチャッカ６６を遊技球が通過したことを契機に、普図当り又はハズレを電子抽選（普図抽選）により決定する
「【００４２】
　普図低確時判定テーブル１５３Ａ及び普図高確時判定テーブル１５３Ｂは、普図当否用乱数と普図当りおよびハズレとの対応関係を規定するものであり、具体的な内容の図示は省略するが、
普図高確時
普図当りの当選確率は
１／１．１
普図低確時
普図当りの当選確率は１／１２０
「【００４４】
　図４に示す
電動チューリップ制御手段１７０
電動チューリップ６３の１対の羽根部材を開閉させる
「【００４５】
　図４に示す
遊技モード制御手段１８０
遊技モードを制御する
遊技モード
通常モード、チャンスモード、大チャンスモード、特大チャンスモードの４種類のモードに区分される
【００４６】
　
通常モード
普図低確
に設定される
　
チャンスモード
特図当りの種類が５Ｒ特別図柄Ａである場合に移行する
普図高確
に設定される
　
大チャンスモード
特図当りの種類が５Ｒ特別図柄Ｂである場合に移行する
普図高確
に設定される
　即ち、特図高確における特図当りとなる確率は、約３５分の１となるため、３０回分の特図当否抽選を行えば、特図当りの発生となる可能性は高くなる。なお、５Ｒ特別図柄Ａ及び５Ｒ特別図柄Ｂに基づく３０回分の遊技上の演出状態を同一として、何れのチャンスモードかを遊技者に予測させるゲーム性を付与してもよい。
　
特大チャンスモード
特図当りの種類が１５Ｒ特別図柄Ａである場合に移行する
普図高確
に設定される
普図高確に係る遊技回数の上限
第１特別図柄抽選及び第２特別図柄抽選に係る遊技回数（連続的なハズレの抽選結果）の合算が９９回に達するまでに設定される
　上記記載事項を総合すれば、引用文献には以下の発明（以下、「引用発明」という。）が記載されているものと認められる（ａ〜ｌについては本願補正発明のＡ〜Ｌに対応させて付与した。）。
「ａ　遊技球が流下する遊技領域３１と（【００１１】）、
ｂ　ハンドル７の回動操作量に対応して増減する発射ボリューム７Ａからの入力に基づいて所定の強度で遊技球が発射され、遊技領域３１に遊技球を到達させる発射装置と、を有したパチンコ機１において（【０００９】、【００１２】）、
ｃ　前記遊技領域３１は、遊技者の操作により遊技球が流下する左側部と右側部とを有し（【００１３】）、
ｄ　遊技者の操作により遊技球が遊技領域３１の左側部を流下する場合に入賞し易い第１始動入賞口６１Ａを設け（【００１３】）、
ｅ　遊技領域３１の右側部に位置する第２始動入賞口６２と、その下方に位置し遊技者の操作により遊技球が遊技領域３１の右側部を流下する場合に入賞し易い第１始動入賞口６１Ｂと（【００１３】）、１対の羽根部材が互いに離れる方向に回動して第２始動入賞口６２の入口を拡大する状態と、１対の羽根部材を閉じて第２始動入賞口６２への遊技球の入賞が不可能な状態とに駆動される電動チューリップ６３と（【００１８】）、を設け、
ｇ　電動チューリップ６３の１対の羽根部材を開閉させる電動チューリップ制御手段１７０と（【００４４】）、
ｈ　前記第１始動入賞口６１Ａ又は、前記第１始動入賞口６１Ｂへの遊技球の入賞を契機に、特図当り（第１特図当り）又はハズレを電子抽選（第１特別図柄抽選）により決定する第１特別図柄用当否抽選手段１１０と（【００２４】）、
ｉ　前記第２始動入賞口６２への遊技球の入賞を契機に、第１特別図柄抽選の特図当りより有利であって、１５Ｒ特別図柄Ａに決定される確率が高い特図当り（第２特図当り）又はハズレを電子抽選（第２特別図柄抽選）により決定する第２特別図柄用当否抽選手段１２０と（【００３２】、【００３７】）、
ｊ　前記遊技領域３１の右側部における第２始動入賞口６２よりも上方に配置されるスルーチャッカ６６（【００１３】、【００１７】）を遊技球が通過したことを契機に、前記電動チューリップ６３の１対の羽根部材が開く普図当り又はハズレを電子抽選（普図抽選）により決定する普通図柄用当否抽選手段１５０（【００１８】、【００４１】）と、
ｋ　前記電動チューリップ６３の１対の羽根部材が開く普図当りの当選確率が１／１．１の普図高確に設定されるチャンスモード、大チャンスモード及び特大チャンスモードと、前記電動チューリップ６３の１対の羽根部材が開く普図当りの当選確率が１／１２０の普図低確に設定される通常モードの４種類のモードに区分される遊技モードを制御する遊技モード制御手段１８０と（【００１８】、【００４２】、【００４５】、【００４６】）、を有し、
ｌ　前記遊技モード制御手段１８０は、第１特別図柄抽選の特図当りの種類が５Ｒ特別図柄Ａである場合に移行するチャンスモード、５Ｒ特別図柄Ｂである場合に移行する大チャンスモードまたは１５Ｒ特別図柄Ａである場合に移行する特大チャンスモードのときに普図高確を設定し（【００２９】〜【００３１】、【００４５】、【００４６】）、普図高確に係る遊技回数の上限は第１特別図柄抽選及び第２特別図柄抽選に係る遊技回数（連続的なハズレの抽選結果）の合算が９９回に達するまでに設定する（【００４６】）パチンコ機１。」
（３）対比・判断 
　本願補正発明と引用発明とを対比する。なお、見出し（ａ）〜（ｍ）は、本願補正発明のＡ〜Ｍに対応させている。
 
（ａ）引用発明の「ａ　遊技球が流下する遊技領域３１」は、本願補正発明の「Ａ　遊技球が流下可能な遊技領域」に相当する。
（ｂ）引用発明の「ｂ　ハンドル７の回動操作量に対応して増減する発射ボリューム７Ａからの入力に基づいて所定の強度で遊技球が発射され、遊技領域３１に遊技球を到達させる発射装置と、を有したパチンコ機１」は、本願補正発明の「Ｂ　発射強度を可変可能であり、前記遊技領域へと遊技球を到達させることが可能な発射手段と、を有した遊技機」に相当する。
（ｃ）引用発明の「遊技領域３１」の「左側部」及び「右側部」は、それぞれ、本願補正発明の「第１遊技領域」及び「第２遊技領域」に相当する。
　そして、引用発明において、ｂの「ハンドル７の」異なる「回動操作量に対応して増減する発射ボリューム７Ａからの入力に基づいて」、「発射装置」により異なる「所定の発射強度で発射され、遊技領域３１に」「到達」した「遊技球」が、ｃの「遊技領域３１」の「左側部と右側部と」に振り分けられることは明らかであるから、「遊技領域３１」は、少なくとも、「発射装置」により一の発射強度で発射された遊技球が流下可能な「左側部」と、前記一の発射強度とは異なる所定の発射強度で発射された遊技球が流下可能な「左側部」とは異なる「右側部」とを有するといえる。
　したがって、引用発明の「ｂ　ハンドル７の回動操作量に対応して増減する発射ボリューム７Ａからの入力に基づいて所定の強度で遊技球が発射され、遊技領域３１に遊技球を到達させる発射装置と、を有したパチンコ機１」が、「ｃ　前記遊技領域３１は、遊技者の操作により遊技球が流下する左側部と右側部とを有」することは、本願補正発明の「Ｃ　前記遊技領域は、少なくとも、前記発射手段により一の発射強度で発射された遊技球が流下可能な第１遊技領域と、前記一の発射強度とは異なる所定の発射強度で発射された遊技球が流下可能な前記第１遊技領域とは異なる第２遊技領域とを有」することに相当する。
（ｄ）引用発明の「第１始動入賞口６１Ａ」は、本願補正発明の「第１入球手段」に相当する。
　したがって、引用発明の「ｄ　遊技者の操作により遊技球が遊技領域３１の左側部を流下する場合に入賞し易い第１始動入賞口６１Ａを設け」ることは、本願補正発明の「Ｄ　前記第１遊技領域に、遊技球が入球可能な第１入球手段を設け」ることに相当する。
（ｅ）引用発明の「第２始動入賞口６２」及び「第１始動入賞口６１Ｂ」は、それぞれ、本願補正発明の「第２入球手段」及び「第３入球手段」に相当する。
　そして、引用発明において、ｄの「第１始動入賞口６１Ａ」、ｅの「第２始動入賞口６２」及び「第１始動入賞口６１Ｂ」は、それぞれ異なる入賞口であることは明らかであるから、引用発明の「ｅ　遊技領域３１の右側部に位置する第２始動入賞口６２と、その下方に位置し遊技者の操作により遊技球が遊技領域３１の右側部を流下する場合に入賞し易い第１始動入賞口６１Ｂと」「を設け」ることは、本願補正発明の「Ｅ　前記第２遊技領域に、遊技球が入球可能な前記第１入球手段とは異なる第２入球手段と、遊技球が入球可能な前記第１入球手段および前記第２入球手段とは異なる第３入球手段と」「を設け」ることに相当する。
　また、引用発明のｅの「１対の羽根部材が互いに離れる方向に回動して」「遊技領域３１の右側部に位置する」「第２始動入賞口６２の入口を拡大する状態と、１対の羽根部材を閉じて」「遊技領域３１の右側部に位置する」「第２始動入賞口６２への遊技球の入賞が不可能な状態とに駆動される電動チューリップ６３と、を設け」ることは、本願補正発明のＥの「前記第２遊技領域に」「前記第２入球手段に遊技球が入球し易いように遊技球を誘導する第１状態と、その第１状態よりも前記第２入球手段に遊技球が入球し難い状態にする第２状態とに可変可能な可変手段と、を設け」ることに相当する。
　したがって、上記を勘案すれば、引用発明のｅの構成は、本願補正発明の「Ｅ　前記第２遊技領域に、遊技球が入球可能な前記第１入球手段とは異なる第２入球手段と、遊技球が入球可能な前記第１入球手段および前記第２入球手段とは異なる第３入球手段と、前記第２入球手段に遊技球が入球し易いように遊技球を誘導する第１状態と、その第１状態よりも前記第２入球手段に遊技球が入球し難い状態にする第２状態とに可変可能な可変手段と、を設け」る構成に相当する。
（ｆ）引用発明において、ｅの「第２始動入賞口６２」は「遊技領域３１の右側部に位置する」のであるから、「ｂ　ハンドル７の回動操作量に対応して増減する発射ボリューム７Ａからの入力に基づいて所定の強度で遊技球が発射され」る「発射装置」により、ｃの「遊技領域３１」の「左側部」に振り分けられる一の発射強度で発射された遊技球が入球し得ない位置に設けられていることは明らかである。
　したがって、引用発明は、本願補正発明の「Ｆ　前記第２入球手段は、前記発射手段により前記一の発射強度で発射された遊技球が入球し得ない位置に設けられる」構成に相当する特定事項を有するといえる。
（ｇ）引用発明において、ｇの「１対の羽根部材」の「開」く状態と「閉」じる状態は、それぞれ、ｅの「１対の羽根部材が互いに離れる方向に回動して第２始動入賞口６２の入口を拡大する状態」と「１対の羽根部材を閉じて第２始動入賞口６２への遊技球の入賞が不可能な状態」に対応することは明らかである。
　したがって、引用発明の「ｇ　電動チューリップ６３の１対の羽根部材を開閉させる電動チューリップ制御手段１７０」は、本願補正発明の「Ｇ　前記可変手段を前記第１状態と前記第２状態とに可変制御する可変制御手段」に相当する。
（ｈ）引用発明のｈの「第１特別図柄抽選」は、本願補正発明の「第１判定」に相当する。
　したがって、引用発明の「ｈ　前記第１始動入賞口６１Ａ又は、前記第１始動入賞口６１Ｂへの遊技球の入賞を契機に、特図当り（第１特図当り）又はハズレを電子抽選（第１特別図柄抽選）により決定する第１特別図柄用当否抽選手段１１０」は、本願補正発明の「Ｈ　前記第１入球手段または前記第３入球手段に遊技球が入球したことに基づいて第１判定条件が成立した場合に、第１判定を実行する第１判定手段」に相当する。
（ｉ）引用発明のｉの「第２特別図柄抽選」は、本願補正発明の「第２判定」に相当する。
　したがって、引用発明の「ｉ　前記第２始動入賞口６２への遊技球の入賞を契機に、第１特別図柄抽選の特図当りより有利であって、１５Ｒ特別図柄Ａに決定される確率が高い特図当り（第２特図当り）又はハズレを電子抽選（第２特別図柄抽選）により決定する第２特別図柄用当否抽選手段１２０」は、本願補正発明の「Ｉ　前記第２入球手段に遊技球が入球したことに基づいて第２判定条件が成立した場合に、前記第１判定よりも遊技者に有利となる第２判定を実行する第２判定手段」に相当する。
（ｊ）引用発明において、ｊの「前記遊技領域３１の右側部における第２始動入賞口６２よりも上方に配置されるスルーチャッカ６６」が、「前記遊技領域３１」の「右側部」に「配置」されることは明らかである。
　したがって、引用発明の「ｊ　遊技領域３１の右側部における第２始動入賞口６２よりも上方に配置されるスルーチャッカ６６を遊技球が通過したことを契機に、前記電動チューリップ６３の１対の羽根部材が開く普図当り又はハズレを電子抽選（普図抽選）により決定する普通図柄用当否抽選手段１５０」は、本願補正発明の「Ｊ　前記第２遊技領域の特定領域を遊技球が通過したことに基づいて、前記可変手段を前記第１状態へと可変させるための第３判定を実行する第３判定手段」に相当する。
（ｋ）引用発明のｋの「前記電動チューリップ６３の１対の羽根部材が開く普図当りの当選確率が１／１．１の普図高確に設定されるチャンスモード、大チャンスモード及び特大チャンスモード」及び「前記電動チューリップ６３の１対の羽根部材が開く普図当りの当選確率が１／１２０の普図低確に設定される通常モード」は、それぞれ、本願補正発明のＫの「前記可変手段を前記第１状態へと可変させ易い第１遊技状態」及び「その第１遊技状態よりも前記可変手段を前記第１状態へと可変させ難い第２遊技状態」に相当する。
　したがって、引用発明の「ｋ　前記電動チューリップ６３の１対の羽根部材が開く普図当りの当選確率が１／１．１の普図高確に設定されるチャンスモード、大チャンスモード及び特大チャンスモードと、前記電動チューリップ６３の１対の羽根部材が開く普図当りの当選確率が１／１２０の普図低確に設定される通常モードの４種類のモードに区分される遊技モードを制御する遊技モード制御手段１８０」は、本願補正発明の「Ｋ　前記可変手段を前記第１状態へと可変させ易い第１遊技状態と、その第１遊技状態よりも前記可変手段を前記第１状態へと可変させ難い第２遊技状態とを設定可能な遊技状態設定手段」に相当する。
（ｌ）引用発明のｌの「前記第１特別図柄抽選の特図当りの種類が５Ｒ特別図柄Ａである場合に移行するチャンスモード、５Ｒ特別図柄Ｂである場合に移行する大チャンスモードまたは１５Ｒ特別図柄Ａである場合に移行する特大チャンスモードのときに普図高確を設定」することは、本願補正発明のＬの「前記第１判定が実行されることにより成立し得る第１条件が成立したことに基づいて前記第１遊技状態を設定する」ことに相当する。
　また、引用発明のｌの「前記第１特別図柄抽選の特図当りの種類が５Ｒ特別図柄Ａである場合に移行するチャンスモード、５Ｒ特別図柄Ｂである場合に移行する大チャンスモードまたは１５Ｒ特別図柄Ａである場合に移行する特大チャンスモードのときに」「設定」される「普図高確に係る遊技回数の上限は第１特別図柄抽選及び第２特別図柄抽選に係る遊技回数（連続的なハズレの抽選結果）の合算が９９回に達するまでに設定する」ことは、第１特別図柄抽選及び第２特別図柄抽選に係る遊技回数（連続的なハズレの抽選結果）の合算が９９回に達した後はｋの「普図低確に設定される通常モード」に移行することは明らかであるから、本願補正発明のＬの「前記第１判定が実行されることにより成立し得る第２条件が成立したことに基づいて前記第２遊技状態を設定する」ことに相当する。
　したがって、引用発明の「ｌ　前記遊技モード制御手段１８０は、前記第１特別図柄抽選の特図当りの種類が５Ｒ特別図柄Ａである場合に移行するチャンスモード、５Ｒ特別図柄Ｂである場合に移行する大チャンスモードまたは１５Ｒ特別図柄Ａである場合に移行する特大チャンスモードのときに普図高確を設定し、普図高確に係る遊技回数の上限は第１特別図柄抽選及び第２特別図柄抽選に係る遊技回数（連続的なハズレの抽選結果）の合算が９９回に達するまでに設定する」ことは、本願補正発明の「Ｌ　前記遊技状態設定手段は、前記第１判定が実行されることにより成立し得る第１条件が成立したことに基づいて前記第１遊技状態を設定し、前記第１判定が実行されることにより成立し得る第２条件が成立したことに基づいて前記第２遊技状態を設定する」ことに相当する。
（ｍ）引用発明は、「ｅ　遊技領域３１の右側部に位置する第２始動入賞口６２と、その下方に位置し遊技者の操作により遊技球が遊技領域３１の右側部を流下する場合に入賞し易い第１始動入賞口６１Ｂと、１対の羽根部材が互いに離れる方向に回動して第２始動入賞口６２の入口を拡大する状態と、１対の羽根部材を閉じて第２始動入賞口６２への遊技球の入賞が不可能な状態とに駆動される電動チューリップ６３と、を設け」るものであるから、遊技領域３１の右側部は、１対の羽根部材が互いに離れる方向に回動することにより入口が拡大されるときの第２始動入賞口６２またはその下方に位置する第１始動入賞口６１Ｂに入賞し得る第１流路が形成されているといえる。
　また、上記（ｊ）で検討したように、引用発明ｊの「前記遊技領域３１の右側部における第２始動入賞口６２よりも上方に配置されるスルーチャッカ６６」が、「前記遊技領域３１」の「右側部」に「配置」されるものであるから、遊技領域３１の右側部は、スルーチャッカ６６に遊技球が通過し得る第２流路が形成されているといえる。
　したがって、引用発明は、本願補正発明の「Ｍ　前記第２遊技領域は、少なくとも、前記第２入球手段または前記第３入球手段に遊技球が入球し得る第１流路と、前記特定領域に遊技球が通過し得る第２流路と、から形成され」ている構成に相当する特定事項を有するといえる。
　さらに、引用発明は、「ｅ　遊技領域３１の右側部に位置する第２始動入賞口６２と、その下方に位置し遊技者の操作により遊技球が遊技領域３１の右側部を流下する場合に入賞し易い第１始動入賞口６１Ｂと、１対の羽根部材が互いに離れる方向に回動して第２始動入賞口６２の入口を拡大する状態と、１対の羽根部材を閉じて第２始動入賞口６２への遊技球の入賞が不可能な状態とに駆動される電動チューリップ６３と、を設け」るものであって、電動チューリップ６３が、１対の羽根部材が互いに離れる方向に回動して第２始動入賞口６２の入口を拡大する状態である場合のほうが、１対の羽根部材を閉じて第２始動入賞口６２への遊技球の入賞が不可能な状態である場合よりも、第１流路を流下する遊技球が第２始動入賞口６２に入り遊技領域３１の裏側に回収され易くなることで第１始動入賞口６１Ｂに入球し難くなるのは明らかである。
　したがって、引用発明は、本願補正発明のＭの「前記可変手段が前記第１状態である場合のほうが前記第２状態である場合よりも、前記第１流路を流下する遊技球が前記第３入球手段に入球し難くなるように構成されている」構成に相当する特定事項を有するといえる。
　ゆえに、「ｅ　遊技領域３１の右側部に位置する第２始動入賞口６２と、その下方に位置し遊技者の操作により遊技球が遊技領域３１の右側部を流下する場合に入賞し易い第１始動入賞口６１Ｂと、１対の羽根部材が互いに離れる方向に回動して第２始動入賞口６２の入口を拡大する状態と、１対の羽根部材を閉じて第２始動入賞口６２への遊技球の入賞が不可能な状態とに駆動される電動チューリップ６３と、を設け」、ｊの「前記遊技領域３１の右側部における第２始動入賞口６２よりも上方に配置されるスルーチャッカ６６」を備える引用発明と、本願補正発明の「Ｍ　前記第２遊技領域は、少なくとも、前記第２入球手段または前記第３入球手段に遊技球が入球し得る第１流路と、前記特定領域に遊技球が通過し得る第２流路と、から形成され、前記第１流路を流下する遊技球は前記特定領域を通過することが無く、前記第２流路を流下する遊技球は前記第２入球手段または前記第３入球手段に入球することが無いように構成され、前記可変手段が前記第１状態である場合のほうが前記第２状態である場合よりも、前記第１流路を流下する遊技球が前記第３入球手段に入球し難くなるように構成されている」とは、「Ｍ’前記第２遊技領域は、少なくとも、前記第２入球手段または前記第３入球手段に遊技球が入球し得る第１流路と、前記特定領域に遊技球が通過し得る第２流路と、から形成され、、前記可変手段が前記第１状態である場合のほうが前記第２状態である場合よりも、前記第１流路を流下する遊技球が前記第３入球手段に入球し難くなるように構成されている」の点で共通する。
　そうすると、両者は、 
「Ａ　遊技球が流下可能な遊技領域と、
Ｂ　発射強度を可変可能であり、前記遊技領域へと遊技球を到達させることが可能な発射手段と、を有した遊技機において、
Ｃ　前記遊技領域は、少なくとも、前記発射手段により一の発射強度で発射された遊技球が流下可能な第１遊技領域と、前記一の発射強度とは異なる所定の発射強度で発射された遊技球が流下可能な前記第１遊技領域とは異なる第２遊技領域とを有し、
Ｄ　前記第１遊技領域に、遊技球が入球可能な第１入球手段を設け、
Ｅ　前記第２遊技領域に、遊技球が入球可能な前記第１入球手段とは異なる第２入球手段と、遊技球が入球可能な前記第１入球手段および前記第２入球手段とは異なる第３入球手段と、前記第２入球手段に遊技球が入球し易いように遊技球を誘導する第１状態と、その第１状態よりも前記第２入球手段に遊技球が入球し難い状態にする第２状態とに可変可能な可変手段と、を設け、
Ｆ　前記第２入球手段は、前記発射手段により前記一の発射強度で発射された遊技球が入球し得ない位置に設けられるものであり、
Ｇ　前記可変手段を前記第１状態と前記第２状態とに可変制御する可変制御手段と、
Ｈ　前記第１入球手段または前記第３入球手段に遊技球が入球したことに基づいて第１判定条件が成立した場合に、第１判定を実行する第１判定手段と、
Ｉ　前記第２入球手段に遊技球が入球したことに基づいて第２判定条件が成立した場合に、前記第１判定よりも遊技者に有利となる第２判定を実行する第２判定手段と、
Ｊ　前記第２遊技領域の特定領域を遊技球が通過したことに基づいて、前記可変手段を前記第１状態へと可変させるための第３判定を実行する第３判定手段と、
Ｋ　前記可変手段を前記第１状態へと可変させ易い第１遊技状態と、その第１遊技状態よりも前記可変手段を前記第１状態へと可変させ難い第２遊技状態とを設定可能な遊技状態設定手段と、を有し、
Ｌ　前記遊技状態設定手段は、前記第１判定が実行されることにより成立し得る第１条件が成立したことに基づいて前記第１遊技状態を設定し、前記第１判定が実行されることにより成立し得る第２条件が成立したことに基づいて前記第２遊技状態を設定するものであり、
Ｍ’前記第２遊技領域は、少なくとも、前記第２入球手段または前記第３入球手段に遊技球が入球し得る第１流路と、前記特定領域に遊技球が通過し得る第２流路と、から形成され、、前記可変手段が前記第１状態である場合のほうが前記第２状態である場合よりも、前記第１流路を流下する遊技球が前記第３入球手段に入球し難くなるように構成されている遊技機。」 
である点で一致し、以下の点で相違する。
（相違点）
　本願補正発明は「前記第１流路を流下する遊技球は前記特定領域を通過することが無く、前記第２流路を流下する遊技球は前記第２入球手段または前記第３入球手段に入球することが無いように構成されている」のに対し、引用発明はそのようなものではない点。
（相違点について）
　特図始動入賞口の入口に備えた可変手段を開放するための当否抽選の契機となる普図始動入賞口を、通過した遊技球を再度遊技領域に流出させるスルーチャッカで構成するか、通過した遊技球を遊技領域外（裏側）に排出して再度遊技領域に流出させない収容口として構成するかは、例えば、特許第５３７６０８１号公報の段落【０１３５】に「入球した遊技球を再度遊技盤面に流出させる所謂ゲートタイプの入球口である普通図柄作動ゲート３２を例示したが、これに限られず、入球した遊技球を再度遊技盤面に流出させない（遊技機外に排出する）タイプの入球口としてもよい。」と記載されているように、遊技の興趣や普図始動入賞口の下方の入賞手段の入賞率等を勘案しながら、当業者が適宜選択し得る設計的事項といえ、引用発明の普図抽選の契機となるスルーチャッカ６６に代えて、通過した遊技球を遊技領域外（裏側）に排出して再度遊技領域に流出させない普図始動収容口とすることに格別の困難性はない。
　そして、引用発明の普図抽選の契機となるスルーチャッカ６６に代えて、通過した遊技球を遊技領域外（裏側）に排出して再度遊技領域に流出させない普図始動収容口に設計変更した場合に、１対の羽根部材が互いに離れる方向に回動することにより入口が拡大されるときの第２始動入賞口６２またはその下方に位置する第１始動入賞口６１Ｂに入賞し得る第１流路を遊技球が流下するためには、当該第１流路は第２始動入賞口６２及び第１始動入賞口６１Ｂの上方の普図始動収容口を通過することが無い第１流路でなければならないことは明らかであり、また、普図始動収容口を通過し得る第２流路を通過する遊技球はその下方に位置する第２始動入賞口６２及び第１始動入賞口６１Ｂに入球することが無いことも明らかであって、これらは、相違点に係る本願補正発明の構成に相当する。
　したがって、本願補正発明は、引用発明に基づいて、当業者が容易に発明をすることができたものであるから、特許法第２９条第２項の規定により、特許出願の際独立して特許を受けることができないものである。
（４）請求人の主張について
　請求人は、審判請求書において、本願補正発明は、第２遊技領域に、第２入球手段または第３入球手段に遊技球が入球し得る第１流路と、特定領域に遊技球が通過し得る第２流路を形成し、第２流路を流下する遊技球が第２入球手段または第３入球手段に入球することが無いように構成し、そして、可変手段を第１状態（開放状態）へと可変させることで、第１流路を流下する遊技球が第３入球手段に入球し難くするように構成することで、第３入球手段への遊技球の入球を抑制しながら、第２入球手段に遊技球を入球させる遊技を実行することができ、遊技者に第１遊技状態中の遊技を好適に提供することができるという格別の効果を奏するものであるのに対して、引用文献１には、第２遊技領域を流下する遊技球が、第２入球手段または第３入球手段に入球し得る構成が記載されているが、本願補正発明の、第１流路と、第２流路との構成、及び、第２流路を流下する遊技球が第２入球手段または第３入球手段に入球することが無い構成が記載されておらず、第２遊技領域を流下する全ての遊技球が、第２入球手段（第２始動入賞口６２）、第３入球手段（第１始動入賞口６１Ｂ）の何れにも入球し得るように構成されており、従って、引用文献１では、第２入球手段に遊技球を入球させ易い第１遊技状態が設定されている場合であっても、第３入球手段へ遊技球が入球してしまうことを抑制することができず、第２入球手段への入球を契機に実行される第２判定よりも不利な第３入球手段への遊技球の入球に基づく第１判定が多く実行されてしまうという問題が生じてしまう虞があり、即ち、引用文献１では本願補正発明の構成を有していないため、第３入球手段への遊技球の入球を抑制しながら、第２入球手段に遊技球を入球させる遊技を実行することができ、遊技者に第１遊技状態中の遊技を好適に提供することができるという格別の効果を奏することができる旨主張する。 
　しかしながら、上記（３）の（ｍ）で検討したように、引用発明の遊技領域３１の右側部は、１対の羽根部材が互いに離れる方向に回動することにより入口が拡大されるときの第２始動入賞口６２またはその下方に位置する第１始動入賞口６１Ｂに入賞し得る第１流路と、スルーチャッカ６６に遊技球が通過し得る第２流路とを備えている。
　そして、上記（３）の（相違点について）で検討したように、引用発明の普図抽選の契機となるスルーチャッカ６６に代えて、通過した遊技球を遊技領域外（裏側）に排出して再度遊技領域に流出させない普図始動収容口に設計変更した場合に、１対の羽根部材が互いに離れる方向に回動することにより入口が拡大されるときの第２始動入賞口６２またはその下方に位置する第１始動入賞口６１Ｂに入賞し得る第１流路を遊技球が流下するためには、第２始動入賞口６２及び第１始動入賞口６１Ｂの上方の普図始動収容口を通過することが無い第１流路でなければならないことは明らかであり、また、普図始動収容口を通過し得る第２流路を通過する遊技球はその下方に位置する第２始動入賞口６２及び第１始動入賞口６１Ｂに入球することが無いことも明らかである。
　さらに、上記（３）の（ｍ）で検討したように、電動チューリップ６３が、１対の羽根部材が互いに離れる方向に回動して第２始動入賞口６２の入口を拡大する状態である場合のほうが、１対の羽根部材を閉じて第２始動入賞口６２への遊技球の入賞が不可能な状態である場合よりも、第１流路を流下する遊技球が第２始動入賞口６２に入り遊技領域３１の裏側に回収され易くなることで第１始動入賞口６１Ｂに入球し難くなるのは明らかであり、従って、引用発明も、第２入球手段たる第２始動入賞口６２に遊技球を入球させ易い第１遊技状態たる普図高確が設定されている場合に、第３入球手段たる第１始動入賞口６１Ｂへ遊技球が入球してしまうことを抑制することができ、第２入球手段たる第２始動入賞口６２への入球を契機に実行される第２判定たる第２特別図柄抽選よりも不利な第３入球手段たる第１始動入賞口６１Ｂへの遊技球の入球に基づく第１判定たる第１特別図柄抽選が多く実行されてしまうという問題は生じず、即ち、引用発明でも、第３入球手段たる第１始動入賞口６１Ｂへの遊技球の入球を抑制しながら、第２入球手段たる第２始動入賞口６２に遊技球を入球させる遊技を実行することができ、遊技者に第１遊技状態中たる普図高確中の遊技を好適に提供することができるといえる。
　よって、請求人の主張は採用できない。
（５）本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明 
　本件補正は、上記のとおり却下されたので、本願の請求項１に係る発明は、平成２８年５月２日にされた手続補正により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由のうち、請求項１に係るものは、
（新規性）この出願の請求項１に係る発明は、その優先日前に頒布された以下の引用文献に記載された発明であるから、特許法第２９条第１項第３号に該当し、特許を受けることができない。
（進歩性）この出願の請求項１に係る発明は、その優先日前に頒布された以下の引用文献に記載された発明に基づいて、その優先日前にその発明の属する技術の分野における通常の知識を有する者が容易に発明をすることができたものであるから，特許法第２９条第２項の規定により特許を受けることができない。
というものである。
　引用文献：特開２０１３−１０２８６９号公報
　
３　引用文献 
　原査定の拒絶の理由で引用された引用文献の記載事項は、前記第２［理由］２（２）に記載したとおりである。
４　対比・判断 
　本願発明は、前記第２の［理由］２で検討した本願補正発明の発明特定事項である「第２入球手段」、「第３入球手段」及び「特定領域」が「設け」られる「第２遊技領域」について、Ｍの「少なくとも、前記第２入球手段または前記第３入球手段に遊技球が入球し得る第１流路と、前記特定領域に遊技球が通過し得る第２流路と、から形成され、前記第１流路を流下する遊技球は前記特定領域を通過することが無く、前記第２流路を流下する遊技球は前記第２入球手段または前記第３入球手段に入球することが無いように構成され、前記可変手段が前記第１状態である場合のほうが前記第２状態である場合よりも、前記第１流路を流下する遊技球が前記第３入球手段に入球し難くなるように構成されている」という限定事項を省いたものである。
　そうすると、本願発明と引用発明を対比すると、前記第２［理由］２（３）に記載した本願補正発明のＭに係る相違点は生じず、本願発明と引用発明は一致し、本願発明は、引用文献に記載された発明であるから、特許法第２９条第１項第３号に該当し特許を受けることができない。
　また、仮に、本願発明と引用発明との間に相違点があったとしても、本願発明は、引用発明に基づいて当業者が容易に発明をすることができたものであるから、特許法第２９条第２項の規定により特許を受けることができない。
第４　むすび
　以上のとおり、本願発明は、特許法第２９条第１項第３号に該当し特許を受けることができない、または、特許法第２９条第２項の規定により特許を受けることができないから、他の請求項に係る発明について検討するまでもなく、本願は拒絶されるべきものである。
　よって、結論のとおり審決する。